(57)【特許請求の範囲】
【請求項１】
第１ハウジングには側板にカム溝が形成されたレバーが待受け位置と嵌合位置との間を変位可能に装着されると共に、第２ハウジングには前記レバーの前記カム溝に係合するカムピンが形成されており、前記前記レバーが前記待受け位置にある状態で前記第１と第２の両ハウジングを浅く嵌合させた後、前記レバーを前記嵌合位置にまで変位操作すると、第２ハウジングのカムピンが前記レバーの前記カム溝に沿って誘導されることで、前記両ハウジングが嵌合状態に至るようになっているレバー式コネクタであって、
前記レバーの前記側板には前記側板の肉厚方向に撓み変形可能な係止爪が形成されており、前記係止爪には突き当て面が形成されており、
前記第１ハウジングの外面には、先端縁が自由端となり、且つこの先端縁部に前記係止爪の前記突き当て面と係合可能な係止受け部が形成されており、
前記レバーが前記待受け位置にある状態で前記係止爪と前記係止受け部とが係合することにより、前記レバーが前記嵌合位置に変位することを規制するようになっており、
前記レバーが前記待受け位置にある状態で前記両ハウジングを浅く嵌合させたときには、前記第２ハウジング側との係合により、前記係止爪が外方へ撓み変形することで前記係止受け部との係合が解除されるようになっており、
また、前記レバーが前記待受け位置から前記嵌合位置へ至る間の前記レバーの変位軌跡は、前記突き当て面と前記係止受け部とが突き当たる方向と同方向に設定されており、前記第１と第２の両ハウジングの嵌合前に前記レバーを変位操作して、前記突き当て面と前記係止受け部とが突き当たったときに、前記係止受け部が撓んでめくり上がるのを前記係止爪の解除方向の反対側から押さえるめくり上がり防止部が前記係止爪に形成されていることを特徴とするレバー式コネクタ。
【請求項２】
前記突き当て面には、前記係止受け部が前記突き当て面と突き当たったときに、前記係止爪に対して前記係止爪の解除方向と反対側を向く力が加わるような傾斜面が形成されていることを特徴とする請求項１記載のレバー式コネクタ。
【請求項３】
前記第２ハウジングには、前記レバーが前記待受け位置にある状態で前記両ハウジングを浅く嵌合させたときに、前記係止爪と当接することで、前記係止爪を解除方向に撓み変形させて前記係止爪と前記係止受け部との係合を解除する規制解除部が設けられていることを特徴とする請求項１または請求項２記載のレバー式コネクタ。
【請求項４】
前記レバーは合成樹脂にて形成されており、
前記係止爪は、前記側板に形成されたスリットの内側に形成されると共に、前記係止爪の肉厚方向に開閉する金型によって形成されるようになっており、
前記傾斜面と、前記めくり上がり防止部とは、前記係止爪の幅方向にずれて形成されていることを特徴とする請求項２または請求項３記載のレバー式コネクタ。
【発明の詳細な説明】
【技術分野】
【０００１】
本発明は、レバー式コネクタに関する。
【背景技術】
【０００２】
従来より、レバー式コネクタとしては、特許文献１に記載のものが知られている。このものは、アーム部にカム溝が形成されたレバーが第１ハウジングに回動可能に装着され、レバーを待受け位置から嵌合位置まで回動操作することにより、第２ハウジングに形成されたカムフォロアがカム溝に沿って誘導されることで、第１ハウジングと第２ハウジングとが嵌合するようになっている。レバーが待受け位置にある状態において、第１及び第２ハウジングの嵌合前にレバーを回動操作しようとすると、レバーのアーム部に片持ち状に形成された撓み係止片と、第１ハウジングの外壁に形成された切欠溝とが当接することで、レバーが嵌合位置に回動することが規制されるようになっている。
【特許文献１】特開２００４−３１９１２５公報
【発明の開示】
【発明が解決しようとする課題】
【０００３】
上記の構成において、第１ハウジングの外壁を薄い板状とし、この外壁に切欠溝を形成すると、この切欠溝の端縁部は外壁の肉厚方向に撓み変形可能な自由端となる場合がある。この切欠溝の自由端縁に撓み係止片が係合する構成とした場合には、係止片と当接した切欠溝の自由端縁がめくり上がって係止片に乗り上げるように撓み変形してしまい、撓み係止片と切欠溝との間の保持力を十分に得られない虞がある。
【０００４】
本発明は上記のような事情に基づいて完成されたものであって、レバーをハウジングに対して待受け位置で保持する際の保持力を向上させたレバー式コネクタを提供することを目的とする。
【課題を解決するための手段】
【０００５】
上記の目的を達成するための手段として、請求項１の発明は、第１ハウジングには側板にカム溝が形成されたレバーが待受け位置と嵌合位置との間を変位可能に装着されると共に、第２ハウジングには前記レバーの前記カム溝に係合するカムピンが形成されており、前記前記レバーが前記待受け位置にある状態で前記第１と第２の両ハウジングを浅く嵌合させた後、前記レバーを前記嵌合位置にまで変位操作すると、第２ハウジングのカムピンが前記レバーの前記カム溝に沿って誘導されることで、前記両ハウジングが嵌合状態に至るようになっているレバー式コネクタであって、前記レバーの前記側板には前記側板の肉厚方向に撓み変形可能な係止爪が形成されており、前記係止爪には突き当て面が形成されており、前記第１ハウジングの外面には、先端縁が自由端となり、且つこの先端縁部に前記係止爪の前記突き当て面と係合可能な係止受け部が形成されており、前記レバーが前記待受け位置にある状態で前記係止爪と前記係止受け部とが係合することにより、前記レバーが前記嵌合位置に変位することを規制するようになっており、前記レバーが前記待受け位置にある状態で前記両ハウジングを浅く嵌合させたときには、前記第２ハウジング側との係合により、前記係止爪が外方へ撓み変形することで前記係止受け部との係合が解除されるようになっており、また、前記レバーが前記待受け位置から前記嵌合位置へ至る間の前記レバーの変位軌跡は、前記突き当て面と前記係止受け部とが突き当たる方向と同方向に設定されており、前記第１と第２の両ハウジングの嵌合前に前記レバーを変位操作して、前記突き当て面と前記係止受け部とが突き当たったときに、前記係止受け部が撓んでめくり上がるのを前記係止爪の解除方向の反対側から押さえるめくり上がり防止部が前記係止爪に形成されていることを特徴とする。
【０００６】
請求項２の発明は、請求項１記載のものにおいて、前記突き当て面には、前記係止受け部が前記突き当て面と突き当たったときに、前記係止爪に対して前記係止爪の解除方向と反対側を向く力が加わるような傾斜面が形成されていることを特徴とする。
【０００７】
請求項３の発明は、請求項１または請求項２記載のものにおいて、前記第２ハウジングには、前記レバーが前記待受け位置にある状態で前記両ハウジングを浅く嵌合させたときに、前記係止爪と当接することで、前記係止爪を解除方向に撓み変形させて前記係止爪と前記係止受け部との係合を解除する規制解除部が設けられていることを特徴とする。
【０００８】
請求項４の発明は、請求項２または請求項３に記載のものにおいて、前記レバーは合成樹脂にて形成されており、前記係止爪は、前記側板に形成されたスリットの内側に形成されると共に、前記係止爪の肉厚方向に開閉する金型によって形成されるようになっており、前記傾斜面と、前記めくり上がり防止部とは、前記係止爪の幅方向にずれて形成されていることを特徴とする。
【発明の効果】
【０００９】
＜請求項１の発明＞
請求項１の発明によれば、めくり上がり防止部により、突き当て面と突き当たった係止受け部がめくり上がるように変形して係止爪に乗り上げることを防止できるから、係止爪と係止受け部との間の保持力を確保することができる。
【００１０】
＜請求項２の発明＞
請求項２の発明によれば、突き当て面には、係止受け部が突き当て面と突き当たったときに、係止爪に対して係止爪の解除方向と反対側を向く力が加わるような傾斜面が形成されている。これにより、係止受け部が突き当て面と突き当たったときに、係止爪が解除方向に撓み変形することを防止できるから、係止爪と係止受け部とを確実に係合させることができる。
【００１１】
＜請求項３の発明＞
請求項３の発明によれば、第１ハウジングと第２ハウジングとを浅く嵌合させることで、規制解除部により係止爪と係止受け部との係合を解除できるから、係止爪と係止受け部との係合を解除する工程を別途必要とする場合に比べて、両ハウジングの嵌合工程の作業効率を向上させることができる。
【００１２】
＜請求項４の発明＞
請求項４の発明によれば、係止爪は、側板に形成されたスリットの内側に形成されるから、レバーの回動軌跡の内側に配されることになる。これにより、レバーの回動軌跡が大きくなることを防止でき、第１ハウジングの大型化を防止できる。
【００１３】
しかし上記の構成によると、係止爪の肉厚方向に開閉する金型によりレバーを成形する際、めくり上がり防止部及び傾斜面を係止爪の肉厚方向に重なる配置とした場合、係止爪は側板に包囲されているから、めくり上がり防止部及び傾斜面を成形するための型抜き空間を確保できず、めくり上がり防止部及び傾斜面を成形できないことが懸念される。
【００１４】
上記の点を鑑み、請求項４の発明によれば、めくり上がり防止部と、傾斜面とは、係止爪幅方向にずれて形成される構成としたから、係止爪の肉厚方向に開閉する金型を用いる場合でも、めくり上がり防止部及び傾斜面を成形できる。
【発明を実施するための最良の形態】
【００１５】
本発明の一実施形態を図１ないし図１３によって説明する。本実施形態に係るレバー式コネクタは、雌ハウジング１０（本発明に係る第１ハウジングに相当）と、この雌ハウジング１０に対して回動可能に装着されたレバー１１と、このレバー１１の回動操作により雌ハウジング１０と嵌合する雄ハウジング１２（本発明に係る第２ハウジングに相当）とを備える。なお、以下の説明では、両ハウジング１０，１２の嵌合方向を前方とする。
【００１６】
雄ハウジング１２は、合成樹脂製であって、前方に開口するフード部１３を備えている。フード部１３の奥壁には、細長い棒状をなす雄端子金具１４が前後方向にフード部１３の奥壁を貫通して配設されており、雄端子金具１４の一方の端部はフード部１３内に突出している。フード部１３の上壁の上面及び下面には、幅方向の略中央付近に、上下方向に突出する略円柱状のカムピン１５が形成されている。カムピン１５の左右両側には、前後方向に延びると共に、上下方向に突出した規制解除部１６が形成されており、両ハウジング１０，１２の嵌合時に、後述する係止爪１７と係合して係止爪１７を解除方向に撓ませることにより、係止爪１７と、後述する係止受け部１８との係合を解除するようになっている。規制解除部１６の前端部には、係止爪１７の乗り上げ動作を容易にするためにテーパ面１９が形成されている。
【００１７】
雌ハウジング１０は、合成樹脂製であって、外筒部２０と、この外筒部２０の内側に形成される内筒部２１とを備える。外筒部２０と、内筒部２１との間の空間は、両ハウジング１０，１２の嵌合時に雄ハウジング１２のフード部１３が進入するフード部嵌合空間２２とされる。外筒部２０の上側及び下側には、前後方向に貫通するレバー収容空間２３が形成されており、レバー１１が収容されるようになっている。上側のレバー収容空間２３の上壁の内側面からは、略円柱状をなした支軸２４が垂下して形成されており、また、下側のレバー収容空間２３の下壁の内側面からは、略円柱状をなした支軸２４が突設されている。上側のレバー収容空間２３の下壁及び下側のレバー収容空間２３の上壁には、幅方向の略中央付近に、前端縁から後方に向かって略矩形状に切り欠かれた切欠部２５が形成されている。この切欠部２５は、雄ハウジング１２のカムピン１５とその両側の規制解除部１６とを挿入可能になっている。この切欠部２５は、手前側では規制解除部１６の間隔よりも少し広い間隔を有し、奥行方向の中央部よりもやや後方の位置において、両規制解除部１６間と同じ幅に段付き状に狭められ、奥は閉鎖されている。切欠部２５の段付き部分には丸みが付けられ、それぞれ係止受け部１８とされる。各係止受け部１８はそれぞれ、レバー収容空間２３の上壁又は下壁の自由端縁に形成されており、レバー収容空間２３の上壁又は下壁の肉厚方向に撓み変形可能になっている。
【００１８】
内筒部２１には、電線２７の端末に接続された雌端子金具２８を収容するためのキャビティ２９が前後方向に貫通して形成されている。雌端子金具２８は、電線２７をかしめつけるバレル部３０と、このバレル部３０の前方に形成された角筒部３１とからなり、この角筒部３１内に雄端子金具１４が挿入されることで、雄端子金具１４と雌端子金具２８の電気的接続がなされるようになっている。キャビティ２９の内壁からは、前方に片持ち状に延出されたランス３２が形成されており、角筒部３１に係止することで、雌端子金具２８の抜け止めがなされるようになっている。内筒部２１の後端部には、キャビティ２９の後側の開口に亘る収容凹部３３が形成されており、この収容凹部３３内に、一括ゴム栓３４が収容されている。この一括ゴム栓３４は、厚板状をなし、前後方向に貫通して電線２７を挿通するゴム栓側挿通孔３５が形成されており、ゴム栓側挿通孔３５の内壁と、電線２７の被覆とが密着することで、電線２７と一括ゴム栓３４との間のシールが図られるようになっている。また、一括ゴム栓３４の外周壁と収容凹部３３の内周壁とが密着することで、一括ゴム栓３４と雌ハウジング１０とのシールが図られるようになっている。一括ゴム栓３４の後方には、ゴム栓ホルダ３６が配設されており、このゴム栓ホルダ３６は、ゴム栓ホルダ３６の外面から外方に突設されたロック突部３７が内筒部２１の後端部寄りの位置に形成された受け部３８に係合することで、内筒部２１に保持されるようになっている。ゴム栓ホルダ３６には前後方向に貫通して電線２７を挿通するホルダ側挿通孔３９が形成されており、電線２７が挿通されて後方に引き出されている。
【００１９】
雌ハウジング１０の後面側には、電線カバー４０が装着されるようになっている。電線カバー４０は合成樹脂製であって、前面と、図１における左側の端面とが連続して開口する箱形に形成され、閉じた方の端面側は角が傾斜した逃がし面４１とされる。電線カバー４０の開口端面４４側では、両側板４５の前端縁から１対の弾性係止脚４２が対向して突設されている。これに対して、雌ハウジング１０の後端部の外周には、長辺側である上下両面の左右両端部に、上下で対をなす突部４３が形成されている。
【００２０】
電線カバー４０は、雌ハウジング１０の後面を覆うように被せられ、１対の弾性係止脚４２を、左右いずれか一方に配された１対の突部４３に嵌めることによって、開口端面４４を左側に向けた姿勢（図１参照）で、取付けるようになっている。これにより、雌ハウジング１０の後面から引き出された電線２７は、一纏めにされた後、側方へ略９０°屈曲され、開口端面４４から左に向けて導出されるようになっている。
【００２１】
レバー１１は合成樹脂製であって、略円形をなす１対の側板４５の外周から、図１における右方に突設された略矩形状をなす腕部４６同士が、操作部４７で連結されることによって、略門形状に形成されている（図１１参照）。このレバー１１は、側板４５の肉厚方向に開閉する金型（図示せず）により成形されるようになっている。なお、レバー１１の説明における前後左右の向きについては、レバー１１が、待受け位置から嵌合位置に向かう回動方向が反時計回りとなるように雌ハウジング１０に組み付けられると共に、雌ハウジング１０に対して待受け位置にある状態を基準とする。両側板４５の略中心には、側板４５を貫通して軸孔４８が形成されており、前述した支軸２４が挿通されるようになっている。レバー１１の側板４５における対向した裏面側には、側板４５の肉厚方向の内方に引っ込んでカム溝４９が形成されており、上述したカムピン１５を嵌合させるようになっている。カム溝４９は、軸孔４８の周りにおいて所定の湾曲形状に形成されており、このカム溝４９の入口が周縁に開口して形成されている。
【００２２】
レバー１１は、両側板４５が雌ハウジング１０を挟むようにして、雌ハウジング１０の後方からレバー収容空間２３内に挿入され、軸孔４８に支軸２４を嵌めることで、支軸２４を中心として、待受け位置と、嵌合位置との間で回動可能に装着される。なお、待受け位置とは、カム溝４９の入口とカムピン１５とが対向する配置になっており、カム溝４９内にカムピン１５が進入するのを許容する状態におけるレバー１１の位置をいい、嵌合位置とは、両ハウジング１０，１２が正規嵌合した状態におけるレバー１１の位置をいう。
【００２３】
レバー１１は、図１に示す待受け位置から反時計回り方向に回動されて、図１３に示す嵌合位置にまで回動されると、操作部４７が電線カバー４０における開口端面４４の上面にあたることで、反時計回り方向への回動を規制されるようになっている。一方、操作部４７には撓み変形可能なロック片５０が設けられており、電線カバー４０の開口端面４４の上面には、ロック片５０と対応する位置にロック突起５１が形成されている。これにより、レバー１１が嵌合位置にまで回動されると、ロック片５０がロック突起５１に弾性的に嵌ってロックされ、図１３における時計回り方向への回動を規制されるようになっている。
【００２４】
さて、図７に示すように、両側板４５には、軸孔４８を挟んでカム溝４９の終端と反対側の位置に、前述した雌ハウジング１０の係止受け部１８と係合可能な係止爪１７が設けられている。係止爪１７は、側板４５に形成された略Ｕ字状をなすスリット５２の内側に形成されており、略前後方向に細長い形状をなしている。係止爪１７は、基端部を固定端として、側板４５の肉厚方向に撓み変形可能になっている。係止爪１７の裏面は、側板４５の裏面側に突出して形成されており、常には、側板４５の裏面よりも裏側に突出した状態になっている（図１１参照）。
【００２５】
係止爪１７の先端部のうち、図７における右斜め下側には、上述した係止受け部１８と突き当て可能な突き当て面５３が形成されている。この突き当て面５３には、係止受け部１８と当接したときに、係止爪１７に対して、係止爪１７の解除方向（図１２（ａ）における上方）と反対側の方向（図１２（ａ）における下方）に力が加わるような傾斜面５４が形成されている。具体的には、傾斜面５４は図１２（ａ）において右斜め下方に傾斜するように形成されている。これにより、係止爪１７と係止受け部１８とが当接したときに、係止爪１７が解除方向に撓み変形することを防止できるから、係止爪１７と係止受け部１８との係合を確実なものとすることができるようになっている。
【００２６】
係止爪１７の先端部のうち、図７における左斜め上側には、突き当て面５３と係止受け部１８とが当接したときに、係止受け部１８がめくり上がって傾斜面５４に乗り上げるように撓み変形するのを、係止爪１７の解除方向の反対側から押さえるめくり上がり防止部５５が、図７における後方に突出して形成されている。これにより、係止爪１７と係止受け部１８との間の保持力を確保することができるようになっている（図１２（ａ）参照）。
【００２７】
上述したように、傾斜面５４とめくり上がり防止部５５とは、係止爪１７の幅方向にずれて形成されているから、係止爪１７の肉厚方向に開閉する金型によりレバー１１を成形する場合でも成形可能となっている。
【００２８】
レバー１１が待受け位置から嵌合位置へ至る間のレバー１１の回動軌跡は、突き当て面５３と係止受け部１８とが突き当たる方向と同方向に設定されている。これにより、レバー１１が第１ハウジングに対して待受け位置にある状態において、両ハウジング１０，１２の嵌合前において、レバー１１を回動操作すると、図１に示すように、係止爪１７と、第１ハウジングの係止受け部１８とが当接することにより、レバー１１が嵌合位置に回動することを防止するようになっている（図１２（ａ）参照）。
【００２９】
また、レバー１１が第１ハウジングに対して待受け位置にある状態において、第１及び第２のハウジングが浅く嵌合すると、雄ハウジング１２に形成された規制解除部１６が、係止爪１７の裏面から当接し、係止爪１７を雌ハウジング１０の外方に撓み変形させるようになっている（図１２（ｂ）参照）。これにより、係止爪１７と係止受け部１８との係合は解除されるようになっている。係止爪１７は、係合が解除された後、レバー１１の回動操作に伴って、上側のレバー収容空間２３の下壁又は下側のレバー収容空間２３の上壁のうちレバー収容空間２３側の面を摺接しながら待受け位置にまで変位するようになっている。
【００３０】
続いて、本実施形態の作用、効果について説明する。まず、雌ハウジング１０の高面に電線カバー４０を装着する。電線２７を正面に見て左側に導出したい場合は、電線カバー４０は図１に示すように、開口端面４４を左に向けた姿勢で取付ける。次に、回動レバー１１を、操作部４７が電線カバー４０の逃がし面４１側に来る姿勢、すなわち右側を向いた姿勢でレバー収容空間２３内に収容し、操作部４７が雌ハウジング１０に右側の後面に当たった待受け位置に支軸２４で支持されるようにする。この待受け位置では、カム溝４９の入口が切欠部２５の中央部において前方を向いて開口している。
【００３１】
レバー１１が待受け位置にある状態において、レバー１１を嵌合位置に向けて回動操作しようとすると、係止爪１７の先端に形成された突き当て面５３が、右側の係止受け部１８に当接する。すると、係止受け部１８により、突き当て面５３に形成された傾斜面５４に対して係止爪１７の解除方向と反対側を向く力が加えられるから、係止爪１７と係止受け部１８との係合を確実に行うことができ、レバー１１を待受け位置に保持する保持力を確保できる。そして、撓み変形可能な自由端縁に形成されている係止受け部１８が、めくり上がって傾斜面５４に乗り上げるように変形した場合でも（図１２（ａ）参照）、めくり上がり防止部５５により、係止爪１７の反対側から、係止受け部１８のめくり上がりを押さえることができるから、係止爪１７と係止受け部１８との保持力を更に向上させることができる。このように、レバー１１が不用意に嵌合位置に向けて回動しないように保持されている。
【００３２】
このようにレバー１１を装着した雌ハウジング１０を、図１の矢線に示すように、相手の雄ハウジング１２に向けて浅く嵌合する。嵌合が進むと、雄ハウジング１２側のカムピン１５がカム溝４９内に進入すると共に、規制解除部１６も合わせて進入し、図１２（ｂ）に示すように、右側の規制解除部１６が、テーパ面１９を利用して係止爪１７の裏側に潜り込みつつこれを雌ハウジング１０の外方に撓み変形させ、係止受け部１８との係合を解除する。これにより、レバー１１の嵌合方向への回動規制が解除される。なお、待受け位置におけるレバー１１の回動方向は、両ハウジング１０，１２の嵌合方向（図１における下方）とは逆方向（図１における上方）に設定されているから、両ハウジング１０，１２を嵌合させる際には、レバー１１は、嵌合位置とは反対方向に押圧された状態になっている。このため、両ハウジング１０，１２を嵌合させる際には、係止爪１７と係止受け部１８と係合しないようになっており、容易に解除可能となっている。
【００３３】
続いて、操作部４７を摘んでレバー１１を図１３の反時計回り方向に回動させると、カムピン１５がカム溝４９に沿ってその奥方へ移動しつつ、カム作用により、雌ハウジング１０が雄ハウジング１２に引き寄せられる。そして図１３に示すように、レバー１１が嵌合位置まで回動されると、カムピン１５がカム溝４９の終端位置に達すると共に、両ハウジング１０，１２が正規に嵌合される。このとき、操作部４７に設けられたロック片５０が、電線カバー４０のロック突部３７に弾性的に係止されることで、レバー１１の戻りが規制され、両ハウジング１０，１２が正規の嵌合状態にロックされる。
【００３４】
メンテナンス時などのおいて、両ハウジング１０，１２を離脱させる場合は、ロック片５０を強制的に撓み変形させてロック突部３７に対する係止を解除した後、レバー１１を待受け位置に向けて上記とは逆方向に回動させると、カムピン１５がカム溝４９内を逆方向へ移動し、それに伴うカム作用が発揮されて、両ハウジング１０，１２の離脱操作が行われる。
【００３５】
以上説明したように、本実施形態によれば、突き当て面５３には、係止受け部１８が突き当て面５３と当接したときに、係止爪１７に対して係止爪１７の解除方向と反対側を向く力が加わるような傾斜面５４が形成されている。これにより、係止受け部１８が突き当て面５３と当接したときに、係止爪１７が解除方向に撓み変形することを防止できるから、係止爪１７と係止受け部１８とを確実に係合させることができる。
【００３６】
さらに、係止爪１７に形成しためくり上がり防止部５５により、突き当て面５３と当接した係止受け部１８がめくり上がるように変形し、係止爪１７に乗り上げるように変形することを防止できるから、係止爪１７と係止受け部１８との間の保持力を確保することができる。
【００３７】
また、上記の係止爪１７は、側板４５に形成されたスリット５２の内側に形成されるから、レバー１１の回動軌跡の内側に配されることになる。これにより、レバー１１の回動軌跡が大きくなることを防止でき、第１ハウジングの大型化を防止できる。
【００３８】
しかし上記の構成によると、係止爪１７の肉厚方向に開閉する金型によりレバー１１を成形する際、めくり上がり防止部５５及び傾斜面５４を係止爪１７の肉厚方向に重なる配置とした場合、係止爪１７は側板４５に包囲されているから、めくり上がり防止部５５及び傾斜面５４を成形するための型抜き空間を確保できず、めくり上がり防止部５５及び傾斜面５４を成形できないことが懸念される。
【００３９】
上記の点を鑑み、本実施形態においては、めくり上がり防止部５５と、傾斜面５４とは、係止爪１７の幅方向にずれて形成される構成としたから、係止爪１７の肉厚方向に開閉する金型を用いる場合でも、めくり上がり防止部５５及び傾斜面５４を成形できる。
【００４０】
また、第１ハウジングと第２ハウジングとを浅く嵌合させることで、規制解除部１６により係止爪１７と係止受け部１８との係合を解除できるから、係止爪１７と係止受け部１８との係合を解除する工程を別途必要とする場合に比べて、両ハウジング１０，１２の嵌合工程の作業効率を向上させることができる。
【００４１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４２】
（１）本実施形態においては、レバー１１は、略門形状をなすと共に、雌ハウジング１０に対して回動可能に取付けた回動レバー１１であったが、これに限られず、板状をなす回動レバーであってもよい。また、スライドレバーであってもよい。
【００４３】
（２）本実施形態においては、突き当て面５３には、係止爪１７に対して解除方向と反対方向の力が加わる傾斜面５４を形成する構成としたが、これに限られず、突き当て面５３は、係止受け部１８の当接方向に対して略垂直に形成してもよい。この場合、係止爪１７の肉厚方向に開閉する金型によっても突き当て面５３を成型可能となるから、突き当て面５３とめくり上がり防止部５５とを係止爪１７の肉厚方向に重なる配置とすることができる。
【００４４】
（３）本実施形態においては、図１において電線２７を左側に導出する構成としたがこれに限られず、電線２７を右側に導出する構成としてもよい。この場合には、電線カバー４０の開口端面４４を右に向けた姿勢で取付けると共に、レバー１１は、操作部４７が左側を向いた姿勢で取付けて待受け位置に支軸２４に支持されるようにする。このとき待受け位置に係止するのは、左側の係止受け部１８が利用される。その後は、レバー１１の回動方向等が上記実施形態と逆になるだけなので、説明を省略する。
【００４５】
（４）本実施形態においては、係止爪１７は、レバー１１の側板４５に形成されたスリット５２の内側に形成される構成としたが、これに限られず、係止爪１７は側板４５の側縁から外方に突設される構成としてもよい。また、係止爪１７のうち、傾斜面５４及びめくり上がり防止部５５が形成された領域と異なる領域のみがスリット５２に囲まれる構成としてもよい。この場合、係止爪１７の肉厚と交差する方向からの型抜きが可能となるから、傾斜面５４とめくり上がり防止部５５とを、係止爪１７の肉厚方向に重なる配置とすることができる。
【００４６】
（５）本実施形態においては、レバー１１は雌ハウジング１０に形成されたレバー収容空間２３内に収容される構成としたが、これに限られず、レバー１１は雌ハウジング１０の外壁に、露出した状態で装着される構成としても良い。
【００４７】
（６）本実施形態においては、第１ハウジングを雌ハウジング１０とし、第２ハウジングを雄ハウジング１２としたが、これに限られず、第１ハウジングを雄ハウジング１２とし、第２ハウジングを雌ハウジング１０としてもよい。
【図面の簡単な説明】
【００４８】
【図１】本発明の一実施形態に係るレバー式コネクタにおいて、雄ハウジングの平面図と、レバーが待受け位置に装着された状態の雌ハウジングの一部切欠平面図
【図２】雄ハウジング及びレバーが待受け位置に装着された状態の雌ハウジングの断面図
【図３】雌ハウジングの正面図
【図４】雌ハウジングの背面図
【図５】同じく雌ハウジングの正面図
【図６】図４におけるＡ−Ａ線断面図
【図７】レバーの平面図
【図８】図７におけるＢ−Ｂ線断面図
【図９】図７におけるＣ−Ｃ線断面図
【図１０】係止爪１７を示す一部拡大斜視図
【図１１】レバーの底面図
【図１２】（ａ）係止爪と係止受け部との係合状態を示す一部拡大断面図  （ｂ）係止爪と係止受け部との解除動作を示す一部拡大断面図
【図１３】両ハウジングの嵌合状態を示す一部切欠平面図
【符号の説明】
【００４９】
１０…雌ハウジング（第１ハウジング）
１１…レバー
１２…雄ハウジング（第２ハウジング）
１５…カムピン
１６…規制解除部
１７…係止爪
１８…係止受け部
４５…側板
４９…カム溝
５２…スリット
５３…突き当て面
５４…傾斜面
５５…めくり上がり防止部
【図１】
0004497038.tif 000002
【図２】
0004497038.tif 000003
【図３】
0004497038.tif 000004
【図４】
0004497038.tif 000005
【図５】
0004497038.tif 000006
【図６】
0004497038.tif 000007
【図７】
0004497038.tif 000008
【図８】
0004497038.tif 000009
【図９】
0004497038.tif 000010
【図１０】
0004497038.tif 000011
【図１１】
0004497038.tif 000012
【図１２】
0004497038.tif 000013
【図１３】
0004497038.tif 000014